(57)【要約】【課題】撮影装置を設置する事業者が、撮影装置の利用者に対して通知する広告を自由に作成および編集することができる情報処理装置を提供すること。【解決手段】事業者端末４００から送信された広告情報を記録する記録部２１０と、利用者端末３００から、外部装置で行われたプレイ情報を受信する受信部２２０と、プレイ情報に基づいて一又は複数の広告情報を特定する特定部２３０と、特定された広告情報を含む外部装置に関するウェブサービスである外部装置連動サービスを利用者端末に提供するサービス提供部２４３と、を備える。【選択図】図２
2020061099.tif 000002
【特許請求の範囲】
【請求項１】
複数種類の広告情報を記録する記録部と、
利用者端末から、外部装置で行われたプレイ情報を受信する受信部と、
前記プレイ情報に基づいて一又は複数の前記広告情報を特定する特定部と、
前記特定された広告情報を含む前記外部装置に関するウェブサービスである外部装置連動サービスを前記利用者端末に提供するサービス提供部と、を備える情報処理装置。
【請求項２】
前記外部装置は、撮影装置であり、
前記受信部は、前記撮影装置から撮影画像を受信し、
前記外部装置連動サービスは、ダウンロードページを含み、前記ダウンロードページには、前記撮影画像が含まれる、請求項１に記載の情報処理装置。
【請求項３】
前記ダウンロードページは、所定の条件を満たした場合に、所定の前記撮影画像がダウンロード可能となる、請求項１または２に記載の情報処理装置。
【請求項４】
複数種類の広告情報を記録する記録工程と、
利用者端末から、外部装置で行われたプレイ情報を受信する受信工程と、
前記プレイ情報に基づいて前記広告情報を特定する特定工程と、
前記特定した広告情報を含む前記外部装置に関するウェブサービスである外部装置連動サービスを前記利用者端末に提供するサービス提供工程と、を含む情報処理方法。
【請求項５】
複数種類の広告情報を記録する記録処理と、
利用者端末から、外部装置で行われたプレイ情報を受信する受信処理と、
前記プレイ情報に基づいて前記広告情報を特定する特定処理と、
前記特定した広告情報を含む前記外部装置に関するウェブサービスである外部装置連動サービスを前記利用者端末に提供するサービス提供処理と、を含む情報処理プログラム。
【請求項６】
イベント情報および複数種類の広告情報を記録する記録部と、
前記イベント情報に応じた識別情報を事業者端末に送信する識別情報送信部と、
前記識別情報が入力された撮影装置に前記広告情報を送信する広告情報送信部と、を備える情報処理装置。
【請求項７】
利用者端末から、前記撮影装置で行われたプレイ情報を受信する受信部と、
前記プレイ情報に基づいて一又は複数の前記広告情報を特定する特定部と、
前記特定された広告情報を含むダウンロードページを前記利用者端末に送信するサービス提供部と、を備える請求項６に記載の情報処理装置。
【請求項８】
イベント情報および複数種類の広告情報を記録する記録工程と、
前記イベント情報に応じた識別情報を事業者端末に送信する識別情報送信工程と、
前記識別情報が入力された撮影装置に前記広告情報を送信する広告情報送信工程と、を含む情報処理方法。
【発明の詳細な説明】
【技術分野】
【０００１】
本発明は、情報処理装置、情報処理方法および情報処理プログラムに関する。
【背景技術】
【０００２】
従来、カメラを用いて利用者を撮影することにより、得られた撮影画像に装飾等をすることができる遊戯用撮影装置が知られている。
このような撮影装置では、撮影装置を設置する事業者の広告を遊戯中の画面に表示し、撮影画像および事業者の広告をシール紙に印刷し、さらに、利用者が撮影画像を入手（ダウンロード）する際に事業者の広告を表示する場合があった。
【０００３】
例えば、特許文献１（特開２００２−２４５５４５号公報）には、各種の情報が表示された写真プリントが得られる写真自販機が開示されている。
特許文献１の技術は、使用者を含む被写体２を撮影してその写真を販売する写真自販機であって、被写体２を撮影するカメラ６と、上記カメラ６で撮影された撮影画像を印刷媒体１５に印刷して写真プリントとして出力するプリンタ９とを備え、上記印刷媒体１５に情報を表示するようにしたため、単に撮影された画像が印刷された写真プリントではなく、例えば、広告情報，占いや運勢，おみくじ，パズル，ゲーム，くじ，割引券，各種画像等の各種の情報が表示された写真プリントを得ることができるものである。
【０００４】
また、特許文献２（特開２００８−２７０９９８号公報）には、利用者が興味を持つような広告画像等を撮影画像に付加して出力する機能を提供する自動写真作成装置が開示されている。
特許文献２の技術は、主制御部は、利用者に年齢等の情報を入力させることによって、利用者に関する情報（利用者属性）を取得し（ステップＳ１１０）、管理用サーバは、利用者属性に基づいて、撮影画像に付加されるべき広告画像を広告データベースより取得し、その広告画像は遊戯用写真作成装置の主制御部に与えられ（ステップＳ１４０）、撮影（ステップＳ１７０）および落書き（ステップＳ１８０）の終了後、撮影画像と編集画像と広告画像とが合成され（ステップＳ１９０）、そして、その合成画像が写真シールとしてプリンタから出力されるものである。
【０００５】
また、特許文献３（特開２０１２−１４１５６０号公報）には、広告を適切に表示することができる広告表示システムが開示されている。
特許文献３の技術は、写真シール作成装置１００と、通信回線５０を介して写真シール作成装置１００と接続するサーバ１０とで構成した広告表示システム１であって、サーバ１０に、写真シール作成装置１００へ配信する広告データと、広告データの公開期間とを関連付けて記憶する広告データ記憶部３０を備え、写真シール作成装置１００の制御部２０１に、新着広告データの有無をサーバ１０に問い合わせて、新着広告データがあれば、サーバ１０から新着広告データをダウンロードして、記憶部２０２に記憶する広告データ取得処理と、広告表示部１６０に広告データを表示する広告表示処理とを備えたことにより、広告を適切に表示することができる広告表示システム１を提供するものである。
【０００６】
また、特許文献４（特開２０１５−１８００１７号公報）には、ユーザにより適切な情報を発信する写真撮影編集装置が開示されている。
特許文献４の技術は、ユーザに情報を表示するモニタ（１６１）と、画像提供サイトにおけるユーザの識別情報を取得し管理サーバ（４）に送信することにより管理サーバ（４）に会員認証を行わせる認証制御部（３１６）と、会員認証が成功した場合、識別情報に関連付けられているユーザの特性に対応する広告を上記表示部に表示させる事後接客用モニタ制御部（３１５Ｃ）と、を備えるものである。
【先行技術文献】
【特許文献】
【０００７】
【特許文献１】特開２００２−２４５５４５号公報
【特許文献２】特開２００８−２７０９９８号公報
【特許文献３】特開２０１２−１４１５６０号公報
【特許文献４】特開２０１５−１８００１７号公報
【発明の概要】
【発明が解決しようとする課題】
【０００８】
しかしながら、特許文献１乃至特許文献４の技術は、撮影装置を設置する事業者が自由に広告を作成および編集することは困難であり、さらに撮影装置毎に又は撮影が行われる時間毎に利用者に通知する広告を自由に変更できるものではなかった。
【０００９】
そこで、本発明の主な目的は、撮影装置を設置する事業者が、設置した撮影装置の利用者に対して通知する広告を自由に作成および編集することができる情報処理装置、情報処理方法および情報処理プログラムを提供することである。
また本発明の他の目的は、特定の時間に特定の撮影装置を利用した利用者の端末に対して、事業者があらかじめ作成した広告を伝えることができる情報処理装置、情報処理方法および情報処理プログラムを提供することである。
【課題を解決するための手段】
【００１０】
（１）
一局面に従う情報処理装置は、複数種類の広告情報を記録する記録部と、利用者端末から、外部装置で行われたプレイ情報を受信する受信部と、プレイ情報に基づいて一又は複数の広告情報を特定する特定部と、特定された広告情報を含む外部装置に関するウェブサービスである外部装置連動サービスを利用者端末に提供するサービス提供部と、を備えるものである。
【００１１】
これにより、外部装置を設置した事業者は、特定の時間に特定の外部装置を利用した利用者の端末に対して、あらかじめ作成した広告を伝えることができる。
また、外部装置が設置された会場で複数のイベントが開催される場合に、外部装置を設置する事業者は、外部装置毎に又は利用者の利用が行われる時間毎に、利用者に提供する広告を自由に変更することができる。
なお、本発明における広告は、事業者の事業活動を宣伝するような狭義の広告に限られず、撮影装置が設置された会場で開催されるイベントの案内事項、および利用者への通知事項など、利用者へ広く知らせる事項も含まれる。また、本発明における広告情報は、画面および印刷媒体への表示に限られず、音声によるものも含まれる。
また、本発明における外部装置連動サービスは、例えば、外部装置と連動して動作するホームページ、スマートフォン用アプリ、ＳＮＳ（ソーシャルネットワークサービス）、メーリングリストなどが挙げられる。
【００１２】
（２）
第２の発明にかかる情報処理装置は、一局面の発明に係る情報処理装置において、外部装置は、撮影装置であり、受信部は、撮影装置から撮影画像を受信し、外部装置連動サービスは、ダウンロードページを含み、ダウンロードページには、撮影画像が含まれてもよい。
【００１３】
これにより、撮影装置で撮影を行った利用者は、撮影装置で撮影した画像を入手することができ、撮影装置を設置した事業者は、広告情報を利用者に提供することができる。
また、本発明におけるダウンロードページは、実施例で示すダウンロードサービスに係るページであって、トップページ、画像ダウンロードページおよび変形例で示す事前ページを含むものである。
【００１４】
（３）
第３の発明にかかる情報処理装置は、一局面または第２の発明に係る情報処理装置において、ダウンロードページは、所定の条件を満たした場合に、所定の撮影画像がダウンロード可能となってもよい。
【００１５】
これにより、事業者が設定した所定の条件を満たす状態になるように、利用者を誘導することができる。例えば、所定の条件をアンケートの回答としたり会員登録の完了としたりすることで、画像を入手しようとする利用者に対して、アンケートの回答または会員登録の手続をするように誘導することができる。
【００１６】
（４）
他の局面に従う情報処理方法は、複数種類の広告情報を記録する記録工程と、利用者端末から、外部装置で行われたプレイ情報を受信する受信工程と、プレイ情報に基づいて広告情報を特定する特定工程と、特定した広告情報を含む外部装置に関するウェブサービスである外部装置連動サービスを利用者端末に提供するサービス提供工程と、を含んでもよい。
【００１７】
これにより、外部装置を設置した事業者は、特定の時間に特定の外部装置を利用した利用者の端末に対して、あらかじめ作成した広告を提供することができる。
また、外部装置が設置された会場で複数のイベントが場所毎に又は時間毎に開催される場合に、外部装置を設置する事業者は、外部装置毎に又は利用者の利用が行われる時間毎に、利用者に通知する広告を自由に変更することができる。
なお、本発明における広告は、事業者の事業活動を宣伝するような狭義の広告に限られず、撮影装置が設置された会場で開催されるイベントの案内事項、および利用者への通知事項など、利用者へ広く知らせる事項も含まれる。また、本発明における広告情報は、画面および印刷媒体への表示に限られず、音声によるものも含まれる。
【００１８】
（５）
他の局面に従う情報処理プログラムは、複数種類の広告情報を記録する記録処理と、利用者端末から、外部装置で行われたプレイ情報を受信する受信処理と、プレイ情報に基づいて広告情報を特定する特定処理と、特定した広告情報を含む外部装置に関するウェブサービスである外部装置連動サービスを利用者端末に提供するサービス提供処理と、を含んでもよい。
【００１９】
これにより、外部装置を設置した事業者は、特定の時間に特定の外部装置を利用した利用者の端末に対して、あらかじめ作成した広告を提供することができる。
また、外部装置が設置された会場で複数のイベントが場所毎に又は時間毎に開催される場合に、外部装置を設置する事業者は、外部装置毎に又は利用者の利用が行われる時間毎に、利用者に通知する広告を自由に変更することができる。
なお、本発明における広告は、事業者の事業活動を宣伝するような狭義の広告に限られず、撮影装置が設置された会場で開催されるイベントの案内事項、および利用者への通知事項など、利用者へ広く知らせる事項も含まれる。また、本発明における広告情報は、画面および印刷媒体への表示に限られず、音声によるものも含まれる。
【００２０】
（６）
他の局面に従う情報処理装置は、イベント情報および複数種類の広告情報を記録する記録部と、イベント情報に応じた識別情報を事業者端末に送信する識別情報送信部と、識別情報が入力された撮影装置に広告情報を送信する広告情報送信部と、を備えるものである。
【００２１】
これにより、撮影装置を設置する事業者が、あらかじめ広告を作成することにより、特定の時間に特定の外部装置を利用した利用者に対して、広告を提供することができる。
また、撮影装置が設置された会場で複数のイベントが場所毎に又は時間毎に開催される場合に、撮影装置を設置する事業者は、撮影装置毎に又は撮影が行われる時間毎に、利用者に通知する広告を自由に変更することができる。
なお、本発明における広告は、事業者の事業活動を宣伝するような狭義の広告に限られず、撮影装置が設置された会場で開催されるイベントの案内事項、および利用者への通知事項など、利用者へ広く知らせる事項も含まれる。また、本発明における広告情報は、画面および印刷媒体への表示に限られず、音声によるものも含まれる。
【００２２】
（７）
第７の発明にかかる情報処理装置は、第６の発明に係る情報処理装置において、利用者端末から、撮影装置で行われたプレイ情報を受信する受信部と、プレイ情報に基づいて一又は複数の広告情報を特定する特定部と、特定された広告情報を含むダウンロードページを利用者端末に送信するサービス提供部と、を備えてもよい。
【００２３】
これにより、撮影装置を設置した事業者は、特定の時間に特定の撮影装置を利用した利用者の端末に対して、あらかじめ作成した広告を伝えることができる。
【００２４】
（８）
他の局面に従う情報処理方法は、イベント情報および複数種類の広告情報を記録する記録工程と、イベント情報に応じた識別情報を事業者端末に送信する識別情報送信工程と、識別情報が入力された撮影装置に広告情報を送信する広告情報送信工程とを含むものである。
【００２５】
これにより、撮影装置を設置する事業者が、あらかじめ広告を作成することにより、特定の時間に特定の外部装置を利用した利用者に対して、広告を提供することができる。
また、撮影装置が設置された会場で複数のイベントが場所毎に又は時間毎に開催される場合に、撮影装置を設置する事業者は、撮影装置毎に又は撮影が行われる時間毎に、利用者に通知する広告を自由に変更することができる。
なお、本発明における広告は、事業者の事業活動を宣伝するような狭義の広告に限られず、撮影装置が設置された会場で開催されるイベントの案内事項、および利用者への通知事項など、利用者へ広く知らせる事項も含まれる。また、本発明における広告情報は、画面および印刷媒体への表示に限られず、音声によるものも含まれる。
【図面の簡単な説明】
【００２６】
【図１】本発明の一実施形態に係る撮影装置の外観を示す斜視図である。
【図２】本発明の一実施形態に係る撮影装置の構成を示す概要図である。
【図３】本発明の一実施形態に係る印刷されたシール紙の例を示す図である。
【図４】本発明の一実施形態に係る撮影装置によるカスタマイズ処理工程の一例を示すフローチャートである。
【図５】実施の形態に係るカスタムページのメニュー画面の一例を示す図である。
【図６】実施の形態に係るカスタムページの撮影設定画面の一例を示す図である。
【図７】実施の形態に係るカスタムページのデザイン作成画面の一例を示す図である。
【図８】実施の形態に係るカスタムページのデザイン作成画面のスタート画面の一例を示す図である。
【図９】実施の形態に係るカスタムページのデザイン作成画面のシートデザイン画面の一例を示す図である。
【図１０】実施の形態に係るカスタムページのデザイン作成画面のフレーム・背景の一例を示す図である。
【図１１】実施の形態に係るカスタムページの完成イメージの確認画面の一例を示す図である。
【図１２】実施の形態に係るカスタムページの完成イメージの確認画面の一例を示す図である。
【図１３】実施の形態に係るカスタムページのＢＧＭ選択画面の一例を示す図である。
【図１４】第１の実施の形態にかかる撮影装置による広告表示処理の一例を説明する図である。
【図１５】実施の形態に係る画像ダウンロードページ画面の一例を示す図である。
【図１６】第２の実施の形態にかかる広告表示処理の一例を説明する図である。
【図１７】第３の実施の形態にかかる広告表示処理の一例を説明する図である。
【発明を実施するための形態】
【００２７】
以下、図面を参照しつつ、本発明の実施の形態について説明する。以下の説明においては、同一の部品には同一の符号を付してある。それらの名称および機能も同じである。したがって、それらについての詳細な説明は繰り返さない。
【００２８】
＜実施の形態＞
（撮影装置１００）
図１は、本発明の一実施形態に係る撮影装置１００を示す模式図である。撮影装置１００は、事業者が１又は複数台を事業者の会場等に設置して、一又は複数の利用者を撮影することができる無人の自動撮影装置である。また、図２は本発明の一実施形態に係る撮影装置１００の構成を示す概要図である。また、図３は本発明の一実施形態に係る撮影装置１００でプリントしたシール紙６００の一例を示す図である。
図１に示すように、本実施形態の遊戯用撮影装置１００は、直方体状を呈しており、遊戯用撮影装置１００の前面部には、撮影部１１０、表示部１２０、照明１３０、スピーカ１４０が設けられている。そして、撮影装置１００の下部には操作部１５０、印刷部１６０が設けられている。また、撮影装置１００は、必要に応じて決済部を設けてもよい。
なお、撮影装置１００には、図示しないクロマキー背景部が設けられていてもよく、撮影時にクロマキー背景部を利用者の背面に設置することによって撮影画像に背景をクロマキー合成することができる。
撮影装置１００は、撮影が終了すると利用者が撮影画像の編集をできるようにしてもよい。そして、図３に例示するように、撮影装置１００は、テンプレート６０１に撮影画像６０３および広告６０２が配置された完成画像を印刷部１６０により印刷する。さらに、撮影された撮影画像および／または完成画像は、利用者が所有する携帯端末（利用者端末３００）を用いて入手することができる。
【００２９】
撮影装置１００は、事業者の任意の場所に設置することができ、また容易に他の場所に移動することができる。撮影装置１００の設置場所としては、結婚式場、パーティー会場、懇親会場、展示会場、研修会場、文化祭会場、ファッションショー会場、屋外ライブ会場、新商品発表会場、イベント会場などが挙げられる。
例えば、結婚式場に設置したいと考える場合、撮影装置１００の筐体は折り畳まれた状態で会場まで運搬することができ、会場で組み立てて容易に設置することができる。また、撮影装置１００の筐体底面には固定具の他にキャスターがついているため、会場内でも移動が容易なように構成されている。
【００３０】
操作部１５０は、タッチパネルで構成されており、利用者の受付および撮影に必要な情報、画面、ボタンなどを表示するとともに、利用者の入力を受け付ける。操作部１５０の入力装置は、表面上に静電容量型のタッチパネルとして設置されており、利用者は自身の指を用いて入力をすることができる。なお、操作部１５０の入力装置は、静電容量型のタッチパネルに限られず、ボタン型、キーボード型、ペン入力型、感圧タッチパネル型など任意の形態であってよい。また、操作部１５０の入力装置は、タッチパネルとタッチペンとの両方が使用できるものであっても良い。
【００３１】
スピーカ１４０は、利用者に各種案内および選択操作に必要な音声を出力する。また、スピーカ１４０は、撮影装置１００が利用されていない場合に、利用を促すデモ音声およびバックグラウンドミュージックなどを出力することができる。
また、さらに決済部を設ける場合は、利用者による撮影料金の支払いの処理および釣り銭の処理を行うことができる。撮影料金は現金、電子マネー、クレジットカードなど任意の手段によって支払われてよい。
【００３２】
照明１３０は、利用者の正面を照らす正面照明、利用者の足元を照らす足元照明などから構成される。また前述のクロマキー背景部を設置する場合は、利用者の背面を照らす背面照明などを追加してもよい。照明１３０は、撮影装置１００が動作している間は常時点灯しているが、利用者を撮影する時には、撮影のストロボとして利用者を直接または間接に照らす機能を有する。照明１３０は、必要に応じて色調または明るさを変えて撮影できるように設置されていてもよい。
【００３３】
撮影部１１０は、高解像度のカメラで構成されており、利用者がポーズを検討しているときは動画を撮影してその様子を表示部１２０に表示させ、写真撮影のタイミングに合わせて静止画用の解像度の高い画像（撮影画像という）を撮影する。
撮影部１１０のカメラは、物理的に位置、アングルまたはズームを調節するための機構を備えていてもよい。また、撮影部１１０のカメラは、露出時間および／または絞りを調節できてもよい。
撮影部１１０で撮影された撮影画像は、さらに編集（デコレーションなど）できるようにしてもよい。利用者は操作部１５０を操作して撮影画像の編集を行うことができる。後述の事業者が設定したシートデザインの適用および、利用者による編集を行った画像（完成画像という）は、印刷部１６０で印刷される。
【００３４】
印刷部１６０は、シール紙などの印刷媒体に完成画像を印刷する。印刷部１６０は、シール紙などの印刷媒体に対して、撮影画像および完成画像の画像データにアクセスするための情報も印刷する。印刷されたシール紙６００は、印刷部１６０の取出し口から取り出すことができる。
【００３５】
撮影装置１００でプリントしたシール紙６００には、図３に例示するように、テンプレート６０１に広告６０２と、編集された撮影画像６０３と、広告文章６０４と、ダウンロードサービスの案内６０５と、が印刷されている。
これにより、利用者は、撮影装置１００からシール紙６００を入手するとともに、利用者端末３００を用いて撮影画像（および／または完成画像）の画像データを容易に入手することができる。また、事業者は、プレイ中の表示装置１２０、シール紙６００、ダウンロードサービスを通じて利用者に広告情報を提供することができる。
【００３６】
なお、本実施例では、外部装置として遊戯用撮影装置（プリントシール機）を用いた場合について説明しているが、本発明が適応可能な外部装置としては、例えば、筐体と連動したウェブサービスがあるアーケードゲーム機および証明写真機などであってもよい。
また、本実施形態では、外部装置連動サービスとして撮影画像等のダウンロードページ（ホームページ）を用いた場合について説明しているが、本発明が適応可能な外部装置連動サービスとしては、スマートフォン用アプリ、ＳＮＳ（ソーシャルネットワークサービス）、メーリングリストなどであってもよい。
【００３７】
（情報処理装置２００）
図２に示すように、情報処理装置２００は、記録部２１０と、受信部２２０と、特定部２３０と、送信部２４０と、を備える。そして、送信部２４０は、識別情報送信部２４１と広告情報送信部２４２とサービス提供部２４３とを備える。
事業者端末４００は、撮影装置１００を設置する事業者が所有する端末であり、パーソナルコンピュータでもよいし、スマートフォンまたはタブレットなどの携帯端末であってもよい。事業者は、事業者端末４００を用いて、広告情報を作成および編集する。
利用者端末３００は、撮影装置１００の利用者が所有する端末であり、通常スマートフォンなどの携帯端末である。利用者は、撮影装置１００を用いて撮影、編集、印刷など一連のプレイを行う。そして、利用者は利用者端末３００を用いて、撮影画像および／または完成画像のデータを入手することができる。
【００３８】
事業者が情報処理装置２００にイベントの登録を行った場合、１つの登録したイベントに対して１つのイベントＩＤを発行する。情報処理装置２００は、業者ＩＤ、イベント名、使用する筐体の筐体ＩＤ、およびイベントＩＤを記録部２１０に記録し、さらに、情報処理装置２００は事業者端末４００にイベントＩＤを通知する（後述のイベントＩＤ等の通知）。
事業者は通知されたイベントＩＤを利用して、後述する、イベントＩＤごとに用意されたカスタムページに、撮影装置１００の動作設定や広告情報等（以下、カスタム情報という）を入力する。入力されたカスタム情報は、記録部２１０に記録される（後述のカスタムページへの入力）。
事業者が広告情報（カスタム情報の一部）の入力を行った場合、情報処理装置２００は、カスタムページに対応するイベントＩＤに関連付けて、広告に関連する情報（広告画像、ダウンロードページにおける保存先、広告画像のリンクＵＲＬ、および広告ごとに生成される広告ＩＤ）を記録する。
【００３９】
記録部２１０は、事業者が事業者端末４００を用いて送信したカスタム情報を記録して蓄積する。記録部２１０は、後述のように実施態様に応じて、カスタム情報とイベント情報などを関連付けて記録することができる。また、記録部２１０は、撮影装置１００からネットワーク５００を介して送信された撮影画像および完成画像の画像データを格納する。
【００４０】
識別情報送信部２４１は、事業者がカスタム情報を記録部２１０に記録した場合に、固有の識別情報（カスタムＩＤ）を事業者に送信する。識別情報は、イベントごとに生成され、事業者は、事業者端末４００を用いて識別情報を受け取ることができる。識別情報を受け取った事業者は、広告情報を適用させたい撮影装置１００に識別情報を入力する（後述のステップＳ１５’）。
【００４１】
広告情報送信部２４２は、識別情報が入力された撮影装置１００に対して、カスタム情報を送信する（後述のカスタム情報の送信）。撮影装置１００はカスタムを受信すると、カスタム情報に含まれる動作設定を適用する。カスタム情報には広告に関連する情報も含まれ、プレイにおいて表示部１２０、操作部１５０のタッチパネル、印刷部１６０およびスピーカ１４０等を用いて利用者に広告情報を提供する。
【００４２】
撮影装置１００は、プレイが行われるごとに、プレイ情報（広告ＩＤ、画像ＩＤ、筐体ＩＤ）を情報処理装置２００に送信する（後述のプレイ情報の送信）。
情報処理装置２００は、撮影装置１００からプレイ情報を受信すると、プレイ情報に含まれる情報（広告ＩＤおよび／または筐体ＩＤ）に関連付けて画像ＩＤを記録する。これにより、画像ＩＤと広告ＩＤとが紐づけられて記録部２１０に記憶される。そして、情報処理装置２００は、画像ＩＤおよび広告ＩＤに基づいて、広告を含む画像ダウンロードページを作成する（後述のダウンロードページの作成）。
【００４３】
そして、撮影装置１００は、利用者に対して特定プレイ情報を通知する。利用者が利用者端末３００を用いて情報処理装置２００に特定プレイ情報を送信すると、情報処理装置２００の受信部２２０が特定プレイ情報を受信し、特定部２３０が特定プレイ情報に基づいて広告情報を特定することで、利用者はダウンロードサービスを利用できるようになる。
サービス提供部２４３は、特定部２３０が特定した広告情報を含む画像ダウンロードページ９００を作成し、利用者端末３００に送信する。画像ダウンロードページ９００には、利用者がプレイで撮影した撮影画像（および／または完成画像）ならびに広告情報などが掲載されている。利用者は、特定プレイ情報を用いて画像ダウンロードページ９００にアクセスすることで、自身がプレイした撮影画像（および／または完成画像）を閲覧し、好みの画像を入手（ダウンロード）できるとともに、事業者は利用者に対して広告情報を提供することができるようになる。
【００４４】
受信部２２０は、利用者端末３００から特定のプレイ情報（特定プレイ情報）を受信する。プレイ情報は、撮影装置１００の１プレイごとに生成される情報であり、例えば撮影装置１００の所有者を示す業者ＩＤ、プレイ日時、プレイした筐体を示す筐体ＩＤ、プレイモード、作成した撮影画像、当該撮影画像を示す画像ＩＤ、撮影装置１００に係るイベントを示すイベントＩＤ等が紐づけられた情報である。特定プレイ情報は、プレイ情報のうち一部の情報であり、少なくとも画像ＩＤを含む情報である。
利用者が撮影装置１００を利用した場合、シール紙６００、表示部１２０、または操作部１５０の画面および近距離無線通信のいずれかまたは複数を通じて、撮影装置１００から利用者に特定プレイ情報が通知される。利用者が情報処理装置２００にアクセスし、自己の利用者端末３００を用いて特定プレイ情報等を入力すると、情報処理装置２００はプレイを特定することができる。
特定部２３０は、受信部２２０が受信した特定プレイ情報に基づいて、一又は複数の広告情報を特定する。
【００４５】
なお、本発明における広告情報は、利用者へ提供する情報であり、特定部２３０で特定される広告は一つの広告情報に限られず、複数の様々な情報であってもよい。複数の広告情報としては、例えば撮影装置１００が懇親会の会場に設置される場合においては、参加者の紹介文、イベントの案内情報、ビンゴゲームの情報および主催者の宣伝広告などが例示できる。
【００４６】
また、広告情報の入力において、情報処理装置２００とは異なるサーバ（他社サーバ）から広告情報の提供を受けるように設定することもできる。他社サーバから広告情報の提供を受ける場合、情報処理装置２００は、利用者端末３００の画面を特定プレイ情報に基づいて他社サーバの画面に切り替える。特定プレイ情報は、他社サーバの画面を表示するときに、利用者端末３００から他社サーバに送信される。特定プレイ情報を他社サーバに送信する方法としては、例えば、利用者端末３００が他社サーバにアクセスする際のＵＲＬ内に特定プレイ情報を埋め込む方法があげられる。そして、他社サーバから広告情報の提供を受けた後に、他社サーバは特定プレイ情報（画像ＩＤなど）に基づいて情報処理装置２００が提供する画像ダウンロードページ９００を表示させる。このようにして、利用者端末３００は他社サーバにアクセスすることで他社サーバにある広告情報の提供を受けることができる。
【００４７】
また、上記説明では、特定プレイ情報に基づいて、特定の筐体での特定のイベントに対応したダウンロードサービスを利用者に提供したが、これに限らず、例えば事業者がイベントの登録または広告情報の入力のときに設定期間（午前または午後、イベントの前半または後半の時間帯など）を併せて入力することにより、設定期間に基づいてダウンロードサービスのコンテンツを使い分けてもよい。
【００４８】
＜実施の形態にかかるカスタマイズ処理工程＞
図４は、本発明の一実施形態に係る撮影装置１００によるカスタマイズ処理工程の一例を示すフローチャートである。また、図５はカスタマイズ処理工程における画面表示の一例を示す図である。
なお、以下に説明する処理工程は一例に過ぎず、各処理は可能な限り変更されてもよい。また、以下に説明する処理工程について、実施の形態に応じて、適宜、ステップの省略、置換、および追加が可能である。
【００４９】
（ステップＳ１１）
まず、撮影装置１００を設置する事業者は、事業者が所有する事業者端末４００を用いて、イベント情報を情報処理装置２００に送信する[イベント情報の送信]。
イベント情報とは、例えば、事業者ＩＤ（事前に取得している情報）、開催時期、イベント名、イベントにて使用する撮影装置１００の筐体ＩＤなどを含む情報である。イベント情報を受け取った情報処理装置２００は、イベント情報を記録部２１０に記録する。
【００５０】
（ステップＳ１２）
イベント情報を記録した情報処理装置２００は、カスタムページにアクセスするためのイベントＩＤおよびパスワードを発行し、事業者端末４００に送信する[イベントＩＤ等の通知]。
また、通知されたイベントＩＤおよびパスワードは、イベント情報に紐づけて記録部２１０に記録される。
カスタムページとは、撮影装置１００の動作設定および広告情報などの入力を行うための、事業者用の設定画面である。イベントＩＤおよびパスワードを受け取った事業者は、事業者用端末４００を用いて情報処理装置２００のカスタムページにアクセスする。
【００５１】
（ステップＳ１３）
カスタムページにアクセスした事業者は、撮影装置１００の動作設定および広告情報の入力などを行う[カスタムページへの入力]。
カスタムページの詳細は、後述する。
【００５２】
（ステップＳ１４）
事業者からの動作設定および広告情報などを受信した情報処理装置２００は、事業者の入力に基づいてカスタム情報を生成する[カスタム情報の生成]。
カスタム情報には、撮影装置１００の動作設定情報および広告情報などが含まれる。生成されたカスタム情報は、該当するイベントＩＤに紐づけられて記録部２１０に記録される。
【００５３】
記録部２１０に記録されたイベントＩＤに対しては、筐体ＩＤ、カスタムＩＤ、広告ＩＤおよび画像ＩＤがそれぞれ紐づけられて記録部２１０に記録される。一つのイベントＩＤに対して複数の筐体ＩＤが紐づけられることがある（一つのイベントに複数の筐体を設置する場合）。また、一つのイベントＩＤに対して複数のカスタムＩＤが紐づけられることがあり、１つのカスタムＩＤに対して複数の筐体ＩＤが紐づけられることもある。さらに、１つのカスタムＩＤに対して複数の広告ＩＤが紐づけられることがある（複数の広告を出す場合）。さらに、特定の撮影装置１００で２回以上のプレイが行われた場合は、１つのカスタムＩＤに対して複数の画像ＩＤが紐づけられることがある。
なお、本実施形態では、ステップＳ１２において、イベントＩＤおよび筐体ＩＤが紐づけられ、さらにステップＳ１４において、イベントＩＤ、筐体ＩＤ、カスタムＩＤおよび広告ＩＤが紐づけられ、さらに後述のステップＳ２２において、イベントＩＤ、筐体ＩＤ、カスタムＩＤ、広告ＩＤおよび画像ＩＤが紐づけられる。
【００５４】
（ステップＳ１５）
カスタム情報を生成した情報処理装置２００は、あらかじめイベントＩＤに紐づけられた筐体ＩＤを特定し、特定された筐体ＩＤに対応する撮影装置１００に対してカスタム情報を送信する[カスタム情報の送信]。なお、１つのイベントＩＤに対して複数の筐体ＩＤが紐づけられている場合、複数の筐体ＩＤに対応する各撮影装置１００に対して同じカスタム情報を送信する。
カスタム情報を受信した撮影装置１００は、カスタム情報に従ってプレイを実行する。そして撮影装置１００は、完成画像を印刷したシール紙６００を利用者に提供し、プレイを終了する。
【００５５】
（ステップＳ１５’）
上述のステップＳ１５[カスタム情報の送信]は、以下の手順によっておこなってもよい。
カスタム情報を生成した情報処理装置２００は、カスタム情報を示すカスタムＩＤを発行し、事業者端末４００に通知する[カスタムＩＤの通知]。
カスタムＩＤは、さらにＱＲコード（登録商標）で表示することができ、事業者端末４００がスマートフォン等の携帯端末である場合は、携帯端末の画面に表示することができる。
撮影装置１００を設置した事業者は、カスタム情報を適用したいと考える特定の撮影装置１００にカスタムＩＤを入力する[カスタムＩＤの入力]。カスタムＩＤの入力は、撮影装置１００の筐体に備えられたカメラに事業者端末４００の画面をかざして、ＱＲコード（登録商標）を撮影装置１００に読み込ませる方法を採用することができる。
カスタムＩＤが入力された撮影装置１００は、この入力をもとに情報処理装置２００から、当該カスタムＩＤに対応するカスタム情報を取得する（カスタム情報の取得）。カスタム情報を取得した撮影装置１００は、カスタム情報に従ってプレイを実行する。
なお、情報処理装置２００の記録部２１０には、カスタムＩＤと筐体ＩＤとが紐づけられて記録されている。したがって、事業者が事前に登録された筐体とは異なる筐体に対してカスタムＩＤの入力をした場合には、情報処理装置２００は異なる筐体へのカスタム情報の適用を拒否することができる。
そして撮影装置１００は、完成画像を印刷したシール紙６００を利用者に提供し、プレイを終了する。
【００５６】
＜実施の形態にかかるカスタムページ＞
次に、実施の形態にかかるカスタムページについて説明する。
なお、以下に説明するカスタムページの画面は一例に過ぎず、各画面は可能な限り変更されてもよい。また、以下に説明するカスタムページについて、実施の形態に応じて、適宜、省略、置換および追加が可能である。
【００５７】
（ログイン画面）
まず、事業者はステップＳ１２で通知されたイベントＩＤおよびパスワードを用いて、カスタムページのログイン画面からログインを行う。
情報処理装置２００は、事業者の属性に応じて、カスタムページで設定できる範囲に一部制限を加えてもよい。
【００５８】
（メニュー画面７００）
事業者がログイン画面からログインすると、図５に示すように、メニュー画面７００が表示される。メニュー画面には『完成イメージの確認』、『撮影設定』、『画像取込』、『デザイン作成』、『ＢＧＭ選択』の各ボタンが表示される。初めてカスタムページにアクセスした事業者は、まず『撮影設定』を選択する。なお、情報処理装置２００は、初めてカスタムページを表示する場合は、メニュー画面７００で事業者に『撮影設定』のボタンをクリックするよう誘導するための表示をしてもよい。
【００５９】
（撮影設定画面７２０）
『撮影設定』をクリックすると撮影設定画面７２０が表示される。撮影設定画面７２０では、図６に示すように、上部に「写真の種類」、「背景設定」、「シート設定」、「データ設定」の選択タブ７２１が表示される。
「写真の種類」のタブ画面では、１回のプレイで撮影できる写真の枚数を選択する。
「背景設定」のタブ画面では、クロマキー合成を行うか否かを選択する。なお、クロマキー合成を行う場合は、撮影装置１００の筐体にクロマキー合成用背景を追加する必要がある。
「シート設定」のタブ画面では、シール紙６００の下部右側に印字する文章６０４を入力することができる（文字の広告情報）。
「データ設定」のタブ画面７２２では、図６に示すように、撮影画像および／または完成画像を利用者が取得できるか否かを設定する。なお、画像取得可を選択した場合、さらにハッシュタグを複数設定することができる。また「データ設定」のタブ画面では、バナー画像をアップロードすることができる（画像の広告情報）。なお、バナー画像をアップロードした場合、さらに画像に埋め込むＵＲＬを入力することができる。これにより、利用者がバナー画像をクリックすると埋め込まれたＵＲＬのページを表示させることができる。バナー画像のアップロード画面では、事業者がＰＣ（パーソナルコンピュータ）を使用する場合はドラッグアンドドロップで画像をアップロードすることができ、事業者がスマートフォン等を使用する場合は画像ファイルを選択してアップロードできるようにしてもよい。また、事業者がはじめて画像ファイルをアップロードしようとする場合は、利用規約が自動的に表示され、事業者が利用規約に同意した場合のみ画像データのアップロードが可能となるように設定してもよい。そして事業者は、バナー画像に埋め込むためのＵＲＬを入力することができ、登録ボタンを押すことで、設定を反映させることができる。なお、一度設定すると登録ボタンは編集ボタンに変更されるため、必要に応じて埋め込みＵＲＬを変更することができる。
また、後述の変更例に記載のように、画像ダウンロードページ９００を表示する前に、事前ページ（広告ページまたはアンケートページなど）を表示することができる。事前ページを設定する場合、事業者は「ＨＰ登録」の項目で、表示させる画像データおよびＵＲＬを入力する。なお、ＨＰ登録の項目に何も入力されていない場合は、事前ページは表示されず、ダウンロードサービスにアクセスすると画像ダウンロードページ９００が直接表示される。
【００６０】
（デザイン作成画面７３０）
『デザイン作成』をクリックするとデザイン作成画面７３０が表示される。デザイン作成画面７３０では、図７に示すように、「スタート画面」、「シートデザイン」、「フレーム・背景」のボタンが表示される。
「スタート画面」をクリックするとスタート画面７３１が表示される。スタート画面７３１では、図８に示すように「デザイン選択」ボタンが表示される。また、アップロードした画像が表示された箇所をクリックすると、タイトル等の文字を入力することができる。また、「画像調整」ボタンも用意されており、必要に応じて画像の位置調整、トリミング等をすることができる。「デザイン選択」をクリックすると、あらかじめ用意されたプリセット画像が複数表示され、また事業者が画像データをアップロードすることもできる。
「シートデザイン」をクリックするとシートデザイン画面７３２が表示される。シートデザイン画面７３２では、図９に示すように、作成したシートデザインの一覧が表示される。シートデザインの一つを選択すると、編集画面に遷移し「デザイン選択」ボタンが表示される。「デザイン選択」をクリックすると、あらかじめ用意されたプリセット画像が複数表示され、また事業者が画像データをアップロードすることもできる。作成したシートデザインの画像は、必要に応じて位置調整、サイズ調整、トリミング等をすることもできる。
「フレーム・背景」ボタンをクリックするとフレーム・背景画面７３３が表示される。フレーム・背景画面７３３では、図１０に示すように、シール紙６００に表示するフレーム・背景デザインの一覧が表示される。フレーム・背景の一つを選択すると、編集画面に遷移し「フレーム編集」ボタンと「背景編集」ボタンが表示される。「フレーム編集」又は「背景編集」をクリックすると、あらかじめ用意されたプリセット画像が複数表示され、また事業者が画像データをアップロードすることもできる。作成したフレーム上の画像は、必要に応じて位置調整、サイズ調整、トリミング等をすることもできる。ただし、上述の『撮影設定』画面で、クロマキー合成を非選択（クロマキー合成を行わない設定）にした場合は、「背景編集」ができないよう設定されている。
【００６１】
（完成イメージの確認画面７４０）
『完成イメージの確認』をクリックすると完成イメージの確認画面７４０が表示される。完成イメージの確認画面７４０では、図１１に示すように、デザイン作成画面７３０等で作成した完成イメージを確認することができる。完成イメージの確認画面７４０では、印刷されるシートの状態で完成イメージが表示される。
フレーム・背景画面７３３においてデザインが３種類以上設定している場合は、完成イメージの確認画面７４０に「フレーム・背景デザインを変更する」ボタンが表示される。
「フレーム・背景デザインを変更する」をクリックすると、図１２に示すように、フレーム・背景デザイン変更画面７４１がホップアップで表示される。そして利用者は一度作成したフレームまたは背景デザインを変更することができる。完成イメージの確認画面７４０では、このボタンを操作することにより、完成イメージに反映するフレーム・背景を改めて変更することができる。これにより円滑に完成イメージを再編集することができる。
【００６２】
（ＢＧＭ選択画面８００）
『ＢＧＭ選択』をクリックするとＢＧＭ選択画面８００が表示される。ＢＧＭ選択画面８００では、図１３に示すように、「モダン」、「明るい」、「愉快」、「ポップ」、「和風」などのボタンが表示され、あらかじめ用意されたＢＧＭ音楽を視聴し選択することができる。また、事業者が用意した音楽データおよび音声データ等をアップロードできるようにしてもよい。
ここで選択した音楽データ等は、スピーカ１４０からプレイ中（および／またはプレイの待機中）に出力される。
【００６３】
＜第１の実施の形態にかかる広告表示処理＞
次に、情報処理装置２００による、第１の実施の形態にかかる広告表示処理について説明する。
図１４は、第１の実施の形態にかかる撮影装置１００による広告表示処理の一例を説明する図である。
【００６４】
（ステップＳ２１）
第１の実施の形態にかかる広告表示処理では、情報処理装置２００は、ステップＳ１４のカスタム情報の送信において、広告ＩＤを撮影装置１００に送信する[広告ＩＤの送信]。
そして、カスタム情報および広告ＩＤを取得した撮影装置１００は、カスタム情報に従ってプレイを実行する。
【００６５】
（ステップＳ２２）
撮影装置１００は、１回のプレイごとに画像ＩＤを生成する。画像ＩＤは、プレイごとに生成される撮影画像を特定するための情報である。画像ＩＤを用いてプレイを特定することも可能である。そして撮影装置１００は、撮影画像（および／または完成画像）、当該撮影画像を示す画像ＩＤと広告ＩＤとを少なくとも含むプレイ情報、および、画像ＩＤを含む特定プレイ情報、を作成する
そして撮影装置１００は、印刷中の表示画面（表示部１２０など）およびシール紙６００の中（ダウンロードサービスの案内６０５など）に、ダウンロードサービスへのアクセス方法を表示する。アクセス方法の欄には、特定プレイ情報（本実施形態では画像ＩＤ）およびＱＲコード（登録商標）が表示される。
なお、このＱＲコード（登録商標）は、ダウンロードサービスのトップページ（以下、「トップページ」）へアクセスするためのトップページＵＲＬで構成されており、トップページＵＲＬにはクエリパラメータとして特定プレイ情報（本実施形態では画像ＩＤ）が含まれる。ＵＲＬの具体例としては、例えば「http://www.××××.co.jp/?id=○○○」が挙げられ、このうち「?id=○○○」がクエリパラメータに該当する。なお、○○○部分が、画像ＩＤに相当する。
また、撮影装置１００は、プレイが完了した時に撮影画像（および／または完成画像）と、この撮影画像を示す画像ＩＤと、広告ＩＤとを含むプレイ情報を情報処理装置２００に送信する[プレイ情報の送信]。これにより、情報処理装置２００において、画像ＩＤと、広告ＩＤと、撮影画像とが紐づけされて記憶される。
【００６６】
（ステップＳ２３）
プレイ情報を受信した情報処理装置２００は、画像ダウンロードページ９００を作成する[ダウンロードページの作成]。画像ダウンロードページ９００のＵＲＬは、プレイごとに生成されるプレイ情報、例えば画像ＩＤを含んでおり、プレイ毎に個別に生成されたものである。
ダウンロードサービスには、トップページ、画像ダウンロードページ９００（および／または後述の事前ページ）が含まれており、画像ダウンロードページ９００には、撮影画像（および／または完成画像）と、撮影画像の画像ＩＤに対応する広告ＩＤの広告情報とが掲載されている。画像ダウンロードページ９００の詳細は後述する。
【００６７】
（ステップＳ２４）
利用者は、撮影画像（および／または完成画像）等を閲覧または入手するため、利用者端末３００を用いてＷＥＢ画面上からダウンロードサービスにアクセスする[ダウンロードサービスへのアクセス]。
そして、利用者は撮影装置１００で撮影した撮影画像（および／または完成画像）を閲覧または入手することができ、さらに事業者はあらかじめ作成した広告情報を利用者に伝えることができる。
【００６８】
＜実施の形態にかかるダウンロードサービス＞
次に、実施の形態にかかるダウンロードサービスについて説明する。
なお、以下に説明するダウンロードサービスに係る画面は一例に過ぎず、各画面は可能な限り変更されてもよい。また、以下に説明する各画面について、実施の形態に応じて、適宜、省略、置換および追加が可能である。
【００６９】
（トップページ）
利用者がブラウザを用いてダウンロードサービスにアクセスしようとする場合、トップページが表示される。トップページには、画像ＩＤを入力する欄が設けられている。利用者がステップＳ２２で提供された画像ＩＤをトップページで入力すると、情報処理装置２００は、画像ＩＤに対応した画像ダウンロードページ９００を表示する。
利用者がＱＲコード（登録商標）を用いてダウンロードサービスにアクセスする場合は、ＱＲコード（登録商標）に含まれるＵＲＬにはクエリパラメータとして画像ＩＤが含まれる。そのため、画像ＩＤがすでに入力されたトップページが表示され、この画像ＩＤに対応する画像ダウンロードページ９００に遷移する。
【００７０】
（画像ダウンロードページ９００）
図１５は、画像ダウンロードページの一例である。図１５に示すように、画像ダウンロードページ９００が表示される。画像ダウンロードページ９００には、「イベント名」と「サイト表示期間」と「画像」と「ハッシュタグ」と「ハッシュタグをコピーする」のボタンと「広告情報」とが表示される。これらの情報は、情報処理装置２００の記録部２１０で画像ＩＤと紐づけて記録されているため、画像ダウンロードページ９００において他と混同することなく表示することができる。
「イベント名」には、利用者が入力した画像ＩＤに紐づいたイベントＩＤに対応したイベント名称が表示される。「サイト表示期間」、「ハッシュタグ」も「イベント名」と同様に、イベントＩＤに対応したものが表示される。これにより、「イベント名」、「サイト表示期間」、「ハッシュタグ」は、イベントごとにその内容を出しわけることが可能となっている。
「サイト表示期間」には、利用者が当該ダウンロードサービスにアクセス可能な期間の最終日が表示される。アクセス可能な期間を経過すると、撮影画像（および／または完成画像）のデータは情報処理装置２００から消去される。
「ハッシュタグ」は、利用者がダウンロードした画像をＳＮＳ（ソーシャル・ネットワーキング・サービス）等に投稿する場合に使用する分類用のキーワードであり、事業者があらかじめ設定したハッシュタグが表示される。利用者は「ハッシュタグをコピーする」のボタンを押してハッシュタグを自己の利用者端末３００に容易にコピーすることができ、容易かつ迅速に撮影画像（および／または完成画像）をＳＮＳ等に投稿することができる。
「画像」は、ステップＳ２２で送信された撮影画像（および／または完成画像）が表示される。利用者はこの画像を選択（タッチパネルの場合は画像を長押し）することで、画像データを利用者端末３００にダウンロードすることができる。なお、利用者端末３００の仕様によりダウンロードして保存することができない場合に備えて、別途ダウンロードおよび保存をするためのボタンを備えていてもよい。ここで表示される「画像」は、利用者が入力した画像ＩＤに対応するものである。
「広告情報」は、事業者があらかじめ設定した広告情報の画像が、バナー画像の形で画面上にポップアップで表示される。ここで表示される「広告情報」は、利用者が入力した画像ＩＤに紐づく広告ＩＤに対応するものである。
バナー画像をクリックすると、事業者があらかじめ設定した埋め込みＵＲＬのサイトに遷移することができる。また、バナー画像には[×]ボタンがあり、[×]ボタンを押すことでバナー画像を画面から消去することができる。なお、利用者がバナー画像をクリックして埋め込みＵＲＬのサイトに遷移しようとする場合は、情報処理装置２００のダウンロードサービスから外部のページに遷移する旨の警告画面が表示されるようにしてもよい。
また、本発明における広告情報は、事業者の設定にかかわらず情報処理装置２００で、表示しないように設定することができる。これにより、例えば事業者が設定した広告情報が公序良俗に反するものである場合は、広告情報を利用者に開示しないようにすることができる。
【００７１】
＜第２の実施の形態にかかる広告表示処理＞
以下、第２の実施の形態にかかる編集処理ついて説明を行う。第２の実施の形態にかかる広告表示処理が、第１の実施の形態にかかる広告表示処理と異なる点について主に説明する。したがって、説明を省略する部分については、第１の実施の形態にかかる広告表示処理と同様である。
【００７２】
（ステップＳ３１）
図１６は、第２の実施の形態にかかる広告表示処理の一例を説明する図である。
第２の実施の形態にかかる広告表示処理では、情報処理装置２００は、ステップＳ１５のカスタム情報の送信において、当該カスタム情報の送信対象の撮影装置１００に対して、イベントＩＤを撮影装置１００に送信する[イベントＩＤの送信]。
そして、カスタム情報およびイベントＩＤを取得した撮影装置１００は、カスタム情報に従ってプレイを実行する。
なお、カスタム情報にイベントＩＤが含まれている場合は、情報処理装置２００はカスタム情報を撮影装置１００に送信するだけでよい。
【００７３】
（ステップＳ３２）
撮影装置１００は、撮影画像（および／または完成画像）、および、当該撮影画像を示す画像ＩＤとイベントＩＤまたは筐体ＩＤとが含まれる特定プレイ情報、を作成する。筐体ＩＤは、撮影装置１００を識別するための情報であるため撮影装置１００に予め記憶されている。なお、プレイ情報は、画像ＩＤとイベントＩＤまたは筐体ＩＤとが含まれる。
そして撮影装置１００は、印刷中の画面（表示部１２０など）およびシール紙６００の中に、ダウンロードサービスへのアクセス方法を表示する。アクセス方法の欄には、特定プレイ情報（本実施形態では、画像ＩＤとイベントＩＤまたは筐体ＩＤと）およびＱＲコード（登録商標）が表示される。
なお、ＱＲコード（登録商標）は、ダウンロードサービスのトップページへアクセスするためのＵＲＬで構成されており、トップページＵＲＬにはクエリパラメータとして特定プレイ情報が含まれる。具体的には、トップページＵＲＬには、クエリパラメータとして、画像ＩＤと、イベントＩＤまたは筐体ＩＤとが含まれる。
また、撮影装置１００は、プレイが完了した時に、撮影画像（および／または完成画像）と画像ＩＤとを少なくとも含むプレイ情報を情報処理装置２００に送信する[プレイ情報の送信]。
【００７４】
（ステップＳ３３）
撮影画像（および／または完成画像）と画像ＩＤを含むプレイ情報を受信した情報処理装置２００は、画像ダウンロードページ９００を作成する[画像ダウンロードページの作成]。ダウンロードページのＵＲＬは、プレイ毎に生成されるプレイ情報、例えば画像ＩＤを含んでおり、プレイ毎に個別に生成されたものである。
第１の実施形態とは異なり、この時点では、画像ダウンロードページ９００には広告情報が掲載されておらず、画像ダウンロードページ９００は未完成の状態にある。
【００７５】
（ステップＳ３４）
利用者は、撮影画像（および／または完成画像）等を閲覧または入手するため、利用者端末３００を用いてＷＥＢ画面上からダウンロードサービス（トップページ）にアクセスする[ダウンロードサービスへのアクセス]。
利用者がアクセスする際には、特定プレイ情報（画像ＩＤおよび、イベントＩＤまたは筐体ＩＤ）が情報処理装置２００に入力されるため、これにより、画像ダウンロードページ９００には画像データと広告情報とが掲載されて、利用者が閲覧可能な状態になる。より具体的には、情報処理装置２００は、イベントＩＤが入力された場合は、イベントＩＤに紐付けて記憶された広告情報が含まれる画像ダウンロードページ９００を生成し、筐体ＩＤが入力された場合は、筐体ＩＤに紐づけて記憶された広告情報が含まれる画像ダウンロードページ９００を生成する。なお、特定プレイ情報が筐体ＩＤを含む場合（イベントＩＤを含まない場合）は、画像ダウンロードページ９００は筐体毎に構成されたページとなる。また、特定プレイ情報がイベントＩＤを含む場合（筐体ＩＤを含まない場合）は、画像ダウンロードページ９００はイベント毎に構成されたページとなる。
これにより、利用者は撮影装置１００で撮影した撮影画像（および／または完成画像）を閲覧または入手することができ、さらに事業者はあらかじめ作成した広告情報を利用者に伝えることができる。
【００７６】
＜第３の実施の形態にかかる広告表示処理＞
以下、第３の実施の形態にかかる編集処理ついて説明を行う。第３の実施の形態にかかる広告表示処理が、第１または第２の実施の形態にかかる広告表示処理と異なる点について主に説明する。したがって、説明を省略する部分については、第１または第２の実施の形態にかかる広告表示処理と同様である。
【００７７】
図１７は、第３の実施の形態にかかる広告表示処理の一例を説明する図である。
第３の実施の形態にかかる広告表示処理では、情報処理装置２００は、ステップＳ１４においてカスタム情報を撮影装置１００に送信する。（広告ＩＤ等は送信しない。）
そして、カスタム情報を取得した撮影装置１００は、カスタム情報に従ってプレイを実行する。
【００７８】
（ステップＳ４１）
撮影装置１００は、撮影画像（および／または完成画像）、当該撮影画像を示す画像ＩＤと筐体ＩＤとを少なくとも含むプレイ情報、および、当該撮影画像を示す画像ＩＤを含む特定プレイ情報、を作成する。
そして撮影装置１００は、印刷中の画面（表示部１２０など）およびシール紙６００の中に、ダウンロードサービスへのアクセス方法を表示する。アクセス方法の欄には、特定プレイ情報（本実施形態では、画像ＩＤ）およびＱＲコード（登録商標）が表示される。
なお、このＱＲコード（登録商標）は、ダウンロードサービスのトップページへアクセスするためのＵＲＬで構成されており、トップページＵＲＬにはクエリパラメータとして特定プレイ情報（本実施形態では、画像ＩＤ）が含まれる。
また、撮影装置１００は、プレイが完了した時に、撮影画像（および／または完成画像）および、画像ＩＤと筐体ＩＤとを少なくとも含むプレイ情報を情報処理装置２００に送信する[プレイ情報の送信]。
情報処理装置２００において、画像ＩＤと、筐体ＩＤとが紐づけされて記憶される。情報処理装置２００には、ステップＳ１４の処理にて筐体ＩＤと広告ＩＤとが紐づけて記憶されている。これにより、画像ＩＤと広告ＩＤとが紐づけられる。
【００７９】
（ステップＳ４２）
プレイ情報を受信した情報処理装置２００は、ダウンロードサービスに係るページ（画像ダウンロードページ９００）を作成する[ダウンロードページの作成]。画像ダウンロードページ９００のＵＲＬは、プレイ毎に生成されるプレイ情報、例えば画像ＩＤを含んでおり、プレイ毎に個別に生成されたものである。
ダウンロードサービスには画像ダウンロードページ９００が含まれており、画像ダウンロードページ９００には、撮影画像（および／または完成画像）と、この撮影画像の画像ＩＤに対応する広告ＩＤの広告情報とが掲載されている。すなわち、情報処理装置２００では筐体ＩＤと広告ＩＤとが記録されており、撮影装置１００から情報処理装置２００に画像ＩＤと筐体ＩＤとが送信されると、画像ＩＤと広告ＩＤとを関連付けることができる。
【００８０】
（ステップＳ４３）
利用者は、撮影画像（および／または完成画像）等を閲覧または入手するため、利用者端末３００を用いてＷＥＢ画面上からダウンロードサービスにアクセスする[ダウンロードサービスへのアクセス]。
これにより、利用者は撮影装置１００で撮影した撮影画像（および／または完成画像）を閲覧または入手することができ、さらに事業者はあらかじめ作成した広告情報を利用者に伝えることができる。
【００８１】
＜変形例＞
実施の形態にかかる説明では、画像ダウンロードページ９００に広告情報を掲載したが、本発明はこれに限られない。
例えば、ダウンロードサービスにおいて、画像ダウンロードページ９００の前に、事前ページ（別途の広告ページ、アンケートページ、アプリダウンロードサイト、お友達登録ページ、ＳＮＳのフォローページなど）を設けることもできる。この場合、ステップＳ１３で事業者は複数の広告情報を入力できるようにする。具体的には、事業者はステップＳ１３において事前ページのＵＲＬを入力する。これにより、第１〜第３の実施形態で説明したように、画像ＩＤ、筐体ＩＤおよび／またはイベントＩＤに事前ページを紐づけることができる。
事前ページが設定されているか否かに関する情報は、ステップＳ１５にて、カスタム情報に含めて情報処理装置２００から撮影装置１００に送信する。そして、撮影装置１００が生成するトップページＵＲＬのクエリパラメータにフラグを追加する。例えば、事前ページが設定される場合は「１」を、事前ページが設定されていない場合は「０」を追加する。トップページにアクセスがあった際に、情報処理装置２００は、クエリパラメータのフラグに「１」が設定されている場合は、画像ＩＤ等に対応する事前ページを利用者端末３００に送信する。フラグが「０」の場合は、画像ダウンロードページ９００を送信する。これにより、事前ページと画像ダウンロードページ９００とで表示する広告情報を使い分けることができる。
【００８２】
また、事前ページを設ける場合は、さらに事前ページで所定の条件を満たした場合のみ、画像ダウンロードページ９００を表示することにしてもよい。所定の条件とは、例えば、利用者がアンケートを全て回答した場合、利用者が会員登録アプリをダウンロードした場合、利用者がＳＮＳでフォローをした場合などが挙げられる。
事前ページが情報処理装置２００が提供するページである場合、情報処理装置２００は、所定の条件を満たしたか否かを判定部２５０が判定する。そして判定部２５０が所定の条件を満たしたと判定した場合に、情報処理装置２００は特定プレイ情報（画像ＩＤなど）に基づいて画像ダウンロードページ９００を表示させる。
一方、事前ページが情報処理装置２００とは異なるサーバ（他社サーバ）が提供する場合、情報処理装置２００は利用者端末３００の画面を特定プレイ情報に基づいて他社サーバの画面に切り替える。これにより、利用者端末３００には他社サーバが提供する画面が事前ページとして表示され、他社サーバにおいて所定の条件を満たしたか否かの判定が行われる。そして、他社サーバが所定の条件を満たしたと判定した場合に、他社サーバは特定プレイ情報（画像ＩＤなど）に基づいて情報処理装置２００が提供する画像ダウンロードページ９００を表示させる。なお、特定プレイ情報は、事前ページを表示するときに利用者端末３００から他社サーバに送信される。特定プレイ情報を他社サーバに送信する方法としては、例えば、利用者端末３００が他社サーバにアクセスする際のＵＲＬ内に特定プレイ情報を埋め込む方法があげられる。このようにして、情報処理装置２００は、他社サーバが提供する事前ページを経由して、画像ダウンロードページ９００を利用者端末３００に表示させることができる。
さらに、所定の条件を複数の段階で設けることもできる。すなわち、１枚目の画像データをダウンロード可能とする条件と２枚目の画像データをダウンローと可能とする条件とを別にすることもできる。例えば、利用者が会員登録をした場合に１枚目の画像データをダウンロード可能とし、さらに、利用者が有料会員となった場合に２枚目の画像データをダウンローと可能とするように設定してもよい。
【００８３】
また、上記説明では、特定プレイ情報に基づいて、特定の筐体での特定のイベントに対応したダウンロードサービスを利用者に提供したが、これに限らず、例えば事業者がイベントの登録または広告情報の入力のときに設定期間（午前または午後、イベントの前半または後半の時間帯など）を併せて入力することにより、設定期間に基づいてダウンロードサービスのコンテンツを使い分けてもよい。
【００８４】
本発明によれば、撮影装置を設置する事業者が、撮影装置の利用者に対して通知する広告を自由に作成および編集することができる。また、本発明によれば、撮影装置毎におよび／または撮影が行われる時間毎に利用者に通知する広告を自由に変更できる。
【００８５】
本発明においては、撮影装置１００が「外部装置」に相当し、情報処理装置２００が「情報処理装置」に相当し、記録部２１０が「記録部」に相当し、受信部２２０が「受信部」に相当し、特定部２３０が「特定部」に相当し、利用者端末３００が「利用者端末」に相当し、事業者端末４００が「事業者端末」に相当し、ダウンロードサービスが「ダウンロードページ」に相当する。
【００８６】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００８７】
１００  撮影装置
１１０  撮影部
１２０  表示部
１３０  照明
１４０  スピーカ
１５０  操作部
１６０  印刷部
２００  情報処理装置
２１０  記録部
２２０  受信部
２３０  特定部
２４０  送信部
３００  利用者端末
４００  事業者端末
６００  シール紙
７００  メニュー画面
９００  画像ダウンロードページ
【図１】
2020061099.tif 000003
【図２】
2020061099.tif 000004
【図３】
2020061099.tif 000005
【図４】
2020061099.tif 000006
【図５】
2020061099.tif 000007
【図６】
2020061099.tif 000008
【図７】
2020061099.tif 000009
【図８】
2020061099.tif 000010
【図９】
2020061099.tif 000011
【図１０】
2020061099.tif 000012
【図１１】
2020061099.tif 000013
【図１２】
2020061099.tif 000014
【図１３】
2020061099.tif 000015
【図１４】
2020061099.tif 000016
【図１５】
2020061099.tif 000017
【図１６】
2020061099.tif 000018
【図１７】
2020061099.tif 000019
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
複数種類の広告情報を記録する記録部と、
利用者端末から、外部装置で行われたプレイ情報を受信する受信部と、
前記プレイ情報に基づいて一又は複数の前記広告情報を特定する特定部と、
前記特定された広告情報を含む前記外部装置に関するウェブサービスである外部装置連動サービスを前記利用者端末に提供するサービス提供部と、を備える情報処理装置。
【請求項２】
前記外部装置は、撮影装置であり、
前記受信部は、前記撮影装置から撮影画像を受信し、
前記外部装置連動サービスは、撮影画像および広告情報を有するダウンロードページを含み、
前記サービス提供部は、前記利用者端末から前記プレイ情報を含むアクセスがあった場合に、前記プレイ情報および前記特定された広告情報に基づいて、前記ダウンロードページを前記利用者端末に提供する、請求項１に記載の情報処理装置。
【請求項３】
前記ダウンロードページは、広告情報またはアンケートを含む事前ページと、撮影画像をダウンロードするためのダウンロードページとを含み、
前記サービス提供部は、前記事前ページにおいて所定の条件を満たした場合に、利用者端末へダウンロードページを提供する、請求項２に記載の情報処理装置。
【請求項４】
複数種類の広告情報を記録する記録工程と、
利用者端末から、外部装置で行われたプレイ情報を受信する受信工程と、
前記プレイ情報に基づいて前記広告情報を特定する特定工程と、
前記特定した広告情報を含む前記外部装置に関するウェブサービスである外部装置連動サービスを前記利用者端末に提供するサービス提供工程と、を含む情報処理方法。
【請求項５】
複数種類の広告情報を記録する記録処理と、
利用者端末から、外部装置で行われたプレイ情報を受信する受信処理と、
前記プレイ情報に基づいて前記広告情報を特定する特定処理と、
前記特定した広告情報を含む前記外部装置に関するウェブサービスである外部装置連動サービスを前記利用者端末に提供するサービス提供処理と、を含む情報処理プログラム。
【請求項６】
イベント情報および複数種類の広告情報を記録する記録部と、
前記イベント情報に応じた識別情報を事業者端末に送信する識別情報送信部と、
前記識別情報が入力された撮影装置に前記広告情報を送信する広告情報送信部と、を備える情報処理装置。
【請求項７】
利用者端末から、前記撮影装置で行われたプレイ情報を受信する受信部と、
前記プレイ情報に基づいて一又は複数の前記広告情報を特定する特定部と、
前記特定された広告情報を含むダウンロードページを前記利用者端末に送信するサービス提供部と、を備える請求項６に記載の情報処理装置。
【請求項８】
イベント情報および複数種類の広告情報を記録する記録工程と、
前記イベント情報に応じた識別情報を事業者端末に送信する識別情報送信工程と、
前記識別情報が入力された撮影装置に前記広告情報を送信する広告情報送信工程と、を含む情報処理方法。
【手続補正２】
【補正対象書類名】明細書
【補正対象項目名】００１５
【補正方法】変更
【補正の内容】
【００１５】
これにより、事業者が設定した所定の条件を満たす状態になるように、利用者を誘導することができる。例えば、所定の条件をアンケートの回答としたり会員登録の完了としたりすることで、画像を入手しようとする利用者に対して、アンケートの回答または会員登録の手続をするように誘導することができる。本発明における広告情報には、広告のほか、アンケート、アプリダウンロード、お友達登録、ＳＮＳのフォローなどのコンテンツを含んでもよいし含まなくてもよい。